(57)【要約】【課題】化粧板の背面側にＬＥＤを搭載した可動盤面部品を出没自在に配置した場合に、ＬＥＤを増設することなく、ＬＥＤからの発光光量、拡散範囲を増強して電飾効果を高める。【解決手段】遊技盤面と略平行な方向へ動作するように基端部を軸支され且つ光源を搭載した装飾体５０と、装飾体の前方に位置して該装飾体の少なくとも一部を覆うように固定配置された非透光性の化粧板６０と、を備え、化粧板の外周面の少なくとも一部に鏡面６０部が形成されており、装飾体側の光源からの出射光を鏡面部にて反射させるように構成し、鏡面部は多面鏡面体であり、光源は前面から視認した際に化粧板から露出される装飾体の露出部分に配置されており、光源は、装飾体に設けたすり鉢型孔内に配置されており、すり鉢型孔の内壁は鏡面である。【選択図】図４
2011016014.tif 000002
【特許請求の範囲】
【請求項１】
遊技盤面と略平行な方向へ動作するように基端部を軸支され且つ光源を搭載した装飾体と、該装飾体の前方に位置して該装飾体の少なくとも一部を覆うように固定配置された非透光性の化粧板と、を備えた装飾体ユニットであって、
前記化粧板の外周面の少なくとも一部に鏡面部が形成されており、前記装飾体側の光源からの出射光を前記鏡面部にて反射させるように構成し、
前記鏡面部は、多面鏡面体であり、
前記光源は、前面から視認した際に前記化粧板から露出される前記装飾体の露出部分に配置されており、
前記光源は、前記装飾体に設けたすり鉢型孔内に配置されており、
前記すり鉢型孔の内壁は鏡面であることを特徴とする装飾体ユニット。
【請求項２】
請求項１に記載の装飾体ユニットを備えたことを特徴とする遊技盤。
【請求項３】
請求項２に記載の遊技盤を備えたことを特徴とするパチンコ遊技機。
【発明の詳細な説明】
【技術分野】
【０００１】
本発明は、遊技盤面に沿って進退動作する装飾体にＬＥＤを搭載して電飾効果を発揮させるようにした装飾体ユニットにおいて、簡単な改良によってＬＥＤからの発光範囲を拡大させ得るようにした遊技盤、及びパチンコ遊技機に関するものである。
【背景技術】
【０００２】
パチンコ機、アレンジボール等の遊技機においては、従来から、単なる照明効果のみならず、遊技盤上における遊技状態の変化等の状況変化を視覚的に表現、報知したり、遊技進行上での電飾効果を図る等の目的から、盤面、盤面部品、その他任意の部位にＬＥＤランプやフィラメント式ランプ等の光源を配置している。
また、人物、動物、アニメのキャラクター等を象った立体的な人形等の可動盤面部品にＬＥＤを搭載し、可動盤面部品の動作に応じてＬＥＤを発光させることによって遊技進行上特徴的な演出効果を発揮させるようにした電飾装置も知られている。
例えば特許文献１には、遊技盤上における相対位置を可変とする可動体にＬＥＤを設け、遊技の進行状況に応じて可動体を発光させるようにした遊技機が開示されている。
特許文献２には、遊技盤面上に設けた可動部材にＬＥＤを搭載し、これらの協働により始動情報数表示を行うようにした構成が開示されている。
特許文献３には、可変翼片を有する入賞装置において、可変翼片に光透過面とＬＥＤとを設け、ＬＥＤからの光を遊技の進行状況に応じて光透過面から出射させるようにしたパチンコ遊技機の入賞装置が開示されている。
このように可動盤面部品に対してＬＥＤを搭載したプリント基板を組み付けた場合に発光光量を増大し、発光範囲を拡大するためには、搭載するＬＥＤの個数を増大することが最も容易な対策ではあるが、可動盤面部品の重量増、コストアップをもたらすため得策ではない。つまり、可動盤面部品に搭載可能なＬＥＤの個数は制約されることが多い。
更に、可動盤面部品の直前位置に化粧板等の非透光性部材を固定配置した場合には、化粧板によって常時隠蔽される可動盤面部品の部位にはＬＥＤを搭載する意味がないため、可動盤面部品の動作中に化粧板から露出される部位にのみＬＥＤを設けざるを得ない。しかし、化粧板から露出される可動盤面部品の露出面積が狭い場合には狭い露出面積内に搭載可能なＬＥＤの個数が減少するため、ＬＥＤによる発光量の増大に限界が生じ、十分な照度、拡散範囲を確保することができないという問題を生じる。このため、遊技内容に見合った十分な電飾効果を発揮し得ない事態を招来している。
【先行技術文献】
【特許文献】
【０００３】
【特許文献１】特開２００５−０２８０３３公報
【特許文献２】特開２００５−１１０８６２公報
【特許文献３】特開２００５−２７０２７４公報
【発明の概要】
【発明が解決しようとする課題】
【０００４】
従来、非透光性材料から成る化粧板の背面側にＬＥＤを搭載した可動盤面部品を出没自在に配置した場合に、可動盤面部品にＬＥＤを搭載する部位として常時隠蔽される部位を選択することは電飾効果上無意味であるため、化粧板から露出される部位にのみＬＥＤは搭載される。しかし、化粧板から露出する可動盤面部品の露出面積が少ない場合には搭載するＬＥＤの個数に制約が生じるため、ＬＥＤからの発光光量、光拡散範囲が極限されたものとなり、遊技の進行上不可欠な電飾効果が減殺されることとなる。
本発明は上記に鑑みてなされたものであり、非透光性材料から成る化粧板の背面側にＬＥＤを搭載した可動盤面部品を出没自在に配置した場合に、可動盤面部品に搭載するＬＥＤを増設することなく、ＬＥＤからの発光光量、拡散範囲を増強して電飾効果を高めることができる装飾体ユニット、遊技盤、及びパチンコ遊技機を提供することを目的としている。
【課題を解決するための手段】
【０００５】
上記目的を達成するため、本発明に係る装飾体ユニットは、遊技盤面と略平行な方向へ動作するように基端部を軸支され且つ光源を搭載した装飾体と、該装飾体の前方に位置して該装飾体の少なくとも一部を覆うように固定配置された非透光性の化粧板と、を備えた装飾体ユニットであって、前記化粧板の外周面の少なくとも一部に鏡面部が形成されており、前記装飾体側の光源からの出射光を前記鏡面部にて反射させるように構成したことを特徴とする。
本発明に係る装飾体ユニットは、前記鏡面部は、多面鏡面体であることを特徴とする。
本発明に係る装飾体ユニットは、前記光源は、前面から視認した際に前記化粧板から露出される前記装飾体の露出部分に配置されていることを特徴とする。
【０００６】
本発明に係る装飾体ユニットは、前記光源は、前記装飾体に設けたすり鉢型孔内に配置されていることを特徴とする。
本発明に係る装飾体ユニットは、前記すり鉢型孔の内壁は鏡面であることを特徴とする。
本発明に係る遊技盤は、前記何れかの装飾体ユニットを備えたことを特徴とする。
本発明に係るパチンコ遊技機は、前記遊技盤を備えたことを特徴とする。
【発明の効果】
【０００７】
本発明によれば、遊技盤面と略平行に動作する装飾体（可動盤面部品）の直前に化粧板を近接配置し、装飾体に搭載した光源からの光によって特徴的な演出効果を発揮させるように設計された遊技機において、装飾体上へのＬＥＤの搭載個数が制限される場合であっても化粧板側に設けた鏡面部の反射、拡散作用によって十分な電飾効果を発揮することが可能となる。
【図面の簡単な説明】
【０００８】
【図１】本発明の実施の形態に係るパチンコ遊技機の全体正面図である。
【図２】図１の一部を拡大して示す図である。
【図３】遊技球誘導装置を斜め上方から見た図である。
【図４】（ａ）及び（ｂ）は化粧板と装飾体との位置関係を示す右側面図、及び枝部材の全体図である。
【図５】装飾体の下降動作を示す正面図である。
【図６】図４（ｂ）のＡ−Ａ断面図である。
【発明を実施するための形態】
【０００９】
以下、本発明を図面に示した実施の形態により詳細に説明する。
図１は本発明の実施の形態に係るパチンコ遊技機の全体正面図であり、図２は図１の一部を拡大して示す図であり、図３は遊技盤を斜め上方から見た図であり、図４（ａ）及び（ｂ）は化粧板と装飾体との位置関係を示す右側面図、及び枝部材の全体図であり、図５は装飾体が下降した状態を示す正面図である。
この図に示すパチンコ遊技機１は、矩形形状の枠２を有し、この枠２の窓孔に対して裏側から遊技盤３が着脱可能に取り付けられている。
遊技盤３には、遊技領域の外周縁に沿って前方に突出されたガイドレールが設けられている。ガイドレールは発射装置から発射された遊技球を遊技領域の上部に案内したり、アウト球を回収するアウト口１８に案内したりする外レールＲ１及び内レールＲ２により構成される。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には、例えば遊技演出用のチャンスボタンや十字キーなどの操作部６や、遊技球の購入ボタンや購入取り消しボタンなどが設けられている。
遊技盤３の略中央には、図柄表示装置９が配置されている。図柄表示装置９は、例えば、液晶表示装置等の液晶表示パネルによって構成され、通常動作状態の時は図示しない特別図柄画像が表示される。また、所謂リーチ状態や特別遊技状態の時はそれぞれの遊技状態であることを示す演出画像等が表示される。
図柄表示装置９の下方には、図柄表示装置９の特別図柄を可変表示させるための可変入賞装置１１が設けられている。
【００１０】
また、図柄表示装置９の左側には、遊技盤３の右下部に配置された普通図柄表示装置１０に表示される普通図柄を作動させるためのゲート１２が設けられている。
さらに、可変入賞装置１１の下方には、特別遊技状態の一つである大当り状態のときに開成状態になる開閉扉を有する大入賞口１３が設けられている。
可変入賞装置１１は、図柄表示装置９を可変表示させるための上始動ポケット１４と、左右一対の開閉爪（可動片）を有する電動式チューリップ１７とを備えている。
また遊技盤３には、普通入賞口１６が設けられていると共に、風車１５や多数の遊技釘が突設されている。遊技釘は、遊技球の落下速度を遅くすると共に、落下方向を複雑に変化させて遊技進行上の興趣を高めている。
普通図柄表示装置１０に表示される普通図柄は、１個または複数個の図柄を変動表示可能であり、普通図柄始動口としてのゲート１２が遊技球を検出することを条件に、その図柄が乱数制御等により所定時間可変して停止するようになっている。
普通図柄としては、数字図柄、アルファベット図柄、キャラクター図柄、その他の適宜の遊技図柄が使用される。そして、ゲート１２を遊技球が通過したことを条件に乱数制御により普通図柄が所定態様となった場合に、可変入賞装置１１に設けられた電動式チューリップから成る可動片を所定時間、開成動作するように構成されている。
【００１１】
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４、又は電動式チューリップの開成動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
図柄表示装置９の周囲には雪の結晶を象った大小様々なサイズの可動盤面部品２０、３０が配置されており、遊技の進行状況に応じて回転したり、揺動するように構成されている。
【００１２】
本実施形態においては、可動盤面部品２０、３０は、図柄表示装置９の上方に配置された複数の雪結晶２１、３１から構成されている。
更に、図４（ａ）に示すように、各雪結晶２１、３１は、遊技盤３の背面側に配置された図示しない軸受部材によって夫々回転自在に軸支された軸部材２２、３２の先端部に夫々固定される。各軸部材２２、３２の後端部にはギヤ２３、３３が固定されており、隣接し合う各ギヤ同志は噛合しており、各モータ２４、３４からの駆動力を受けて各軸部材２２、３２を回転させる。各ギヤ２３、３４、各軸部材２２、３２、及びモータ２４、３４は、ギヤ機構を構成している。
装飾体としての枝部材５０は、左端部に設けた回動軸５１（図４（ａ）参照）を中心として図１、図２、図３に示した上昇位置から図５に示した下降位置まで回動する。枝部材５０は、基端部を回動軸５１により支持された太い枝部分５０Ａから、複数の細い枝５０Ｂが多方向へ突出した不規則形状を有している。図４（ｂ）、図５に示すように太い枝部分５０Ａと細い枝５０Ｂの前面にかけてＬＥＤ（光源）５５が配置されている。図４（ａ）に示した回動軸５１は遊技盤面と直交する水平方向へ延びている一方で、回動軸５１の前部に固定された枝部材（装飾体）５０は回動軸５１の回動に伴って上下動する。
枝部材５０の前方には枝に積もった雪を象った化粧板６０が垂直な姿勢で配置されている。化粧板の外周面の少なくとも一部に鏡面部（反射面）６１が形成されており、装飾体側のＬＥＤ５５からの出射光を鏡面部６１にて反射させるように構成されている。本実施形態では、図５のように枝部材５０が下降したときにＬＥＤ５５が露出する構成となっているため、鏡面部６１は主として化粧板の下面から右側面にかけて設けている。各ＬＥＤからの出射光は化粧板６０の外周面に設けられた鏡面部６１にて反射する。鏡面部６１を平坦面とした場合には鏡面部６１からの反射光が多様な方向に拡散して電飾効果を高める。特に、枝部材５０の各所に照射された反射光は枝部材を輝かせて電飾効果を高める。なお、遊技盤面に対する鏡面部６１の角度を種々選定することにより、反射光の拡散方向を任意に定めることができる。例えば、鏡面部６１を斜め前方に傾斜させることにより反射、拡散方向が斜め前方となり、斜め後方に傾斜させることにより枝部材、その他の装飾部材を輝かせることができる。
【００１３】
鏡面部６１は平坦面である必要はなく湾曲面、曲面として、多様な拡散光を得るようにしてもよい。
更に、鏡面部６１をミラーボールの如き多面鏡面体とすることにより前後左右多方面への拡散光を生成することができる。
枝部材５０が図３等に示した上昇位置にあるときには大半のＬＥＤ５５は前方に位置する化粧板６０により隠蔽されている一方で、図５に示したように枝部材５０が下降した状態では全てのＬＥＤ５５は化粧板６０の下方へ移動して前方から視認可能な状態となる。
図５に示した下降状態においてＬＥＤ５５を発光させると、ＬＥＤからの光は化粧板６０の下縁、右側面等に設けた鏡面部６１にて反射し、鏡面部６１の形状に応じた方向へ拡散する。
このように本実施形態によれば、鏡面部がＬＥＤからの出射光を拡散させることができるため、使用するＬＥＤの個数に制限がある場合であっても、十分な輝度、拡散光を確保して高い電飾効果を発揮させることが可能となる。
【００１４】
なお、枝部材５０が図３等のように化粧板６０の背後に隠蔽されている状態においてＬＥＤ５５を発光させた場合においても、鏡面部６１を形成する位置、鏡面部６１の形状によっては、ＬＥＤからの出射光を鏡面部６１にて反射させて周辺に拡散することが可能である。特に、鏡面部６１を多面鏡面体とした場合には化粧板の背面側にあるＬＥＤからの光を側方、背面方向へ反射させることが可能となる。
なお、上記実施形態では装飾体としての枝部材５０を上下動作させる場合について説明したが、本発明は装飾体が左右方向、斜め方向等々、どのような方向へ動作する場合であっても適用することができる。
【００１５】
次に、図６は図４（ｂ）のＡ−Ａ断面図であり、枝部材５０は、ＬＥＤ５５を前面に搭載したプリント基板５６の前面に枝を象った装飾体部材５７を組み付けた構成を備えている。この実施形態では、ＬＥＤ５５は装飾体部材５７に設けたすり鉢型孔５８内に配置されており、ＬＥＤ５５が発光した際の光の一部がすり鉢型孔５８の内壁で反射して光を拡散させる。このため、少ない個数のＬＥＤが枝部材５０に搭載されている場合であっても広い範囲に亘って光を拡散させることが可能となる。
特に、すり鉢型孔５８の内を鏡面とすることにより、反射光量、拡散範囲を増大し、電飾効果を高めることができる。
以上のように本発明によれば、遊技盤面と略平行に動作する装飾体５０（可動盤面部品）の直前に化粧板６０を近接配置した場合であっても、装飾体に装備されたＬＥＤからの光を化粧板に設けた鏡面部によって多様な方向へ反射、拡散させることができるので、使用するＬＥＤの個数を低減しつつ十分な輝度、拡散光を確保して電飾効果を高めることができる。
【符号の説明】
【００１６】
１…パチンコ遊技機、２…枠、３…遊技盤、４…皿部、５…発射レバー、６…操作部、１０…普通図柄表示装置、１１…可変入賞装置、１２…ゲート、１３…大入賞口、１４…上始動ポケット、１５…風車、１６…普通入賞口、１７…電動式チューリップ、１８…アウト口、２０、３０…可動盤面部品、２１、３１…雪結晶、２２、３２…軸部材、２３、３３…ギヤ、２４、３４…モータ、５０…枝部材（装飾体）、５０Ａ…太い枝部分、５０Ｂ…細い枝、５１…回動軸、５５…ＬＥＤ、５７…装飾体部材、５８…鉢型孔、６０…化粧板、６１…鏡面
【図１】
2011016014.tif 000003
【図２】
2011016014.tif 000004
【図３】
2011016014.tif 000005
【図４】
2011016014.tif 000006
【図５】
2011016014.tif 000007
【図６】
2011016014.tif 000008